【手続補正書】
【提出日】平成25年9月10日(2013.9.10)
【手続補正１】
【補正対象書類名】特許請求の範囲
【補正対象項目名】全文
【補正方法】変更
【補正の内容】
【特許請求の範囲】
【請求項１】
情報を少なくとも第１の部分情報および第２の部分情報に分割するステップと、
インデックスまたはグラマーを用いて前記第１の部分情報をコード化するための、複数のドメインサブユニットの変調と、
前記第２の部分情報をドメインサブユニットの変調によりコード化するステップと、
を備え、
インデックスまたはグラマーを用いて前記第１の部分情報をコード化するための、複数のドメインサブユニットの変調は、少なくとも２つの異なる変調方式を複数のドメインサブユニットに割り当て、
前記複数のドメインサブユニットは、２つまたはそれ以上のドメインのドメインサブユニットを有する情報の通信方法。
【請求項２】
前記複数のドメインサブユニットは、周波数ドメイン、時間ドメインおよび空間ドメインのうちの２つまたはそれ以上を含み、及び／または、前記第１の部分情報のコード化は、どの変調方式をどのドメインサブユニットに割り当てるかを意図した前記インデックスまたはグラマーにしたがって、どの変調方式をどのドメインサブユニットに割り当てるかを選択することを含む請求項１記載の情報の通信方法。
【請求項３】
前記第１の部分情報をコード化するために前記複数のドメインサブユニットを変調するステップは、第１のドメインの１以上のドメインサブユニットを用いて前記第１の部分情報の一部をコード化することを含み、前記第１の部分情報の他の部分を、第２のドメインの１以上のドメインサブユニットを用いてコード化し、
さらに必要に応じて、
前記第１の部分情報をコード化するために前記複数のドメインサブユニットを変調するステップは、第３のドメインの１以上のドメインサブユニットを用いて、少なくとも前記第１の部分情報のさらなる部分をコード化し、
及び／または、必要に応じて、
前記第１のドメイン、前記第２のドメインおよび第３のドメインの少なくとも１つは、前記周波数ドメイン、時間ドメインおよび空間ドメインの少なくともいずれかを含むか、または、前記ドメインサブユニットは、周波数ドメインのサブチャネル、空間ドメインにおけるビーム、および、時間ドメインにおけるタイムスロットの少なくともいずれかを含む、もしくは、その両方である請求項１または２に記載の情報通信の方法。
【請求項４】
少なくとも１つのドメインのドメインサブユニットに値を関連付け、前記第１の部分情報の少なくとも一部は、前記第１の部分情報の前記少なくとも一部の前記値を表示するドメインサブユニットを用いた信号を与えることによりコード化され、
さらに必要に応じて、
少なくとも２つのドメインのドメインリソースに値を関連付け、前記第１の部分情報は、前記第１の部分情報の一部の前記値を表示する前記少なくとも２つドメインのドメインリソースを用いた信号を与えることにより少なくとも部分的にコード化される請求項３記載の情報通信の方法。
【請求項５】
前記第１の部分情報は、情報ビットの第１の群と、情報ビットの第２の群と、を含み、
複数の異なる第１の部分情報のコード化スキームであって、それぞれ前記第１の群および前記第２の群への変調方式の割り当てが異なる複数のスキームから第１の部分情報のコード化スキームを選択するステップをさらに備え、
さらに必要に応じて、
前記複数の異なる第１の部分情報のコード化スキームは予め定められ、受信機と共有され、
及び／または、必要に応じて、
前記選択された第１の部分情報のコード化スキームを特定する制御情報を送信するステップをさらに備え、
さらに必要に応じて、
ドメインサブユニットの変調により前記制御情報をコード化するステップをさらに備えた請求項１〜４のいずれか１つに記載の情報の通信方法。
【請求項６】
第１の部分情報において、情報ビットの第１の群と、情報ビットの第２の群と、を特定するステップと、
前記第１の群および前記第２の群のうちの大きな群を選択するステップであって、前記大きな群は最も多量の情報ビットを有する群である、ステップと、
第１の複数のドメインサブユニットに第１の変調方式を割り当てるために前記大きな群を用いるステップと、
を備えた請求項１〜５のいずれか１つに記載の情報の通信方法。
【請求項７】
前記複数のドメインサブユニットの間における少なくとも２つの異なる変調方式の割り当てであって、前記残りの部分情報に対して利用できるバンド幅を最大化する変調方式の割り当てを決定するために第１の部分情報のコード化スキームを選択するステップをさらに備え、
さらに必要に応じて、
制御情報のコード化、および、第２の部分情報の部分の縮退したコード化の少なくともいずれか一方のために前記バンド幅のいくつかを使用するステップをさらに備えた請求項１〜６のいずれか１つに記載の情報の通信方法。
【請求項８】
前記少なくとも２つの異なる変調方式は、第１の固定された振幅によりドメインサブユニットを変調する第１の変調方式と、第２の固定された振幅によりドメインサブユニットを変調する第２の変調方式と、を含み、
さらに必要に応じて、
前記少なくとも２つの異なる変調方式は、前記第１の振幅がドメインサブユニットの抑制を表し、前記第２の振幅が前記ドメインサブユニットの非抑制を表すオンオフ変調（ＯＯＫ）を可能とし、
さらに必要に応じて、
抑制されたドメインサブユニットは、関連した電力がゼロであり、
及び／または、必要に応じて、
前記抑制されたドメインサブユニットから前記非抑制のドメインサブユニットへの電力の再配分をさらに備えた請求項１〜７のいずれか１つに記載の情報の通信方法。
【請求項９】
前記少なくとも２つの異なる変調方式は、高次の変調によりドメインサブユニットを変調する第１の変調方式と、低次の変調によりドメインサブユニットを変調する第２の変調方式と、を含む請求項１〜８のいずれか１つに記載の情報の通信方法。
【請求項１０】
複数の無線チャネルに動作パターンを割り当てることにより前記第１の部分情報が通信され、
１以上の前記無線チャネルを介した無線通信により前記第２の部分情報が通信され、
さらに必要に応じて、
無線チャネルは複数の潜在的な異なる状態を有し、前記状態の集合は前記動作パターンを形成し、前記第１の部分情報は、ぞれぞれの無線チャネルに対し１つの状態を割り当てることにより通信される請求項１〜９のいずれか１つに記載の情報の通信方法。
【請求項１１】
情報を少なくともＮ個の部分に分割するステップと、
少なくとも２つの異なる変調方式を複数の直交した多重ドメインサブユニットに割り当てることにより前記Ｎ個の部分のうちのＭ個のそれぞれをコード化するステップと、
直交した多重ドメインサブユニットの変調によりＮ−Ｍ個の前記部分をコード化するステップと、
を備え、
さらに必要に応じて、
少なくとも、２Ｍ個の異なる変調方式を複数の直交する多重ドメインサブユニットに割り当てることによりＭ個の前記部分のうちの少なくとも１つをコード化する請求項１〜１０のいずれか１つに記載の情報の通信方法。
【請求項１２】
情報を少なくとも第１の部分情報と、第２の部分情報と、に分割する手段と、
少なくとも２つの異なる変調方式を複数のドメインサブユニットであって２つまたはそれ以上のドメインのドメインサブユニットに割り当てることにより前記第１の部分情報をコード化する手段と、
複数のドメインサブユニットのうちの１つの群に属するドメインサブユニットの変調により第２の部分情報をコード化する手段と、
を備えた送信装置。
【請求項１３】
請求項２〜１１のいずれか１つの方法を実施する手段を備えた請求項１２記載の送信装置。
【請求項１４】
少なくとも２つの異なる変調方式の複数のドメインサブユニットへの割り当てを決定することにより第１の部分情報を復号するステップであって、前記複数のドメインサブユニットは２つまたはそれ以上のドメインのドメインサブユニットを含む、ステップと、
前記複数のドメインサブユニットの１つの群に属するドメインサブユニットの復調により第２の部分情報を復号するステップと、
前記第１の部分情報と、前記第２の部分情報と、を結合するステップと、
を備えた情報の通信方法。
【請求項１５】
前記第１の部分情報の復号は、どの変調方式がどのドメインサブユニットに割り当てられるかを決定し、どの変調方式をどのドメインサブユニットに割り当てるかを意図するグラマーにしたがって、意図を適用し、
及び／または、
それぞれのドメインサブユニットは、順に並んだインデックスのうちの１つのインデックスに関連付けられ、ドメインサブユニットの変調方式は、前記関連付けられたインデックスに１つの値を指定し、前記順に並んだインデックスにしたがって並べられた指定値は、前記第１の部分情報を表すデータワードを与え、
及び／または、
どの変調方式がどのドメインサブユニットに割り当てられているかを決定するステップと、
コード化スキームのそれぞれが自らのグラマーを有しており、どの変調方式をどのドメインサブユニットへ割り当てるかを意図したグラマーにしたがって意図を適用し、異なるコード化スキームにしたがって前記第１の部分情報を復号するステップと、
異なるコード化スキームにしたがって生成された前記第１の部分情報の１つを選択するステップと、
を備え、
及び／または、
使用された前記コード化スキームを特定するステップと、
どの変調方式がどのドメインサブユニットに割り当てられているかを決定し、どの変調方式がどのドメインサブユニットに割り当てられるかを意図した前記特定されたコード化スキームのグラマーにしたがって意図を適用することにより第１の部分情報を復号するステップと、を備え、
少なくとも２つの異なる変調方式は、高次の変調によりドメインサブユニットを変調する第１の変調方式と、低次の変調によりドメインサブユニットを変調する第２の変調方式と、を含む請求項１４記載の情報の通信方法。
【請求項１６】
複数のドメインサブユニットへの少なくとも２つの変調方式の割り当てを決定することにより、第１の部分情報を復号する手段であって、前記複数のドメインサブユニットは２つまたはそれ以上のドメインのドメインサブユニットを含む、手段と、
前記複数のドメインサブユニットのうちの１つの群に属するドメインサブユニットの復調により第２の部分情報を復号する手段と、
前記第１の部分情報と、前記第２の部分情報と、を結合する手段と、
を備えた受信装置。
【請求項１７】
請求項１５に記載の方法を実施する手段を備えた請求項１６記載の受信装置。
【請求項１８】
前記第１の部分情報を復号する手段は、キャリア間変調検出回路を有し、
第２の部分情報を復号する手段は、キャリア内変調回路を有し、
前記第１の部分情報と、前記第２の部分情報と、を結合する手段は、結合回路を有する、請求項１６または１７に記載の受信装置。
【請求項１９】
請求項１６記載の受信装置と、請求項１２記載の送信装置と、を備えたシステム。
【手続補正２】
【補正対象書類名】明細書
【補正対象項目名】００４１
【補正方法】変更
【補正の内容】
【００４１】
前記方法は、使用された前記コード化スキームを特定するステップと、どの変調方式がどのサブキャリアに割り当てられているかを決定し、どの変調方式がどのサブキャリアに割り当てられるかを意図した前記特定されたコード化スキームのグラマーにしたがって意図を適用することにより第１の部分情報を復号するステップと、を備えても良い。
【手続補正３】
【補正対象書類名】明細書
【補正対象項目名】００６２
【補正方法】変更
【補正の内容】
【００６２】
ブロック４において、情報は、少なくとも第１の部分情報と、第２の部分情報と、に分割される。
【手続補正４】
【補正対象書類名】明細書
【補正対象項目名】００７５
【補正方法】変更
【補正の内容】
【００７５】
図２は、好適なコード化装置１０を模式的に表している。コード化装置１０は、分割ブロック１２と、キャリア間変調ブロック１４と、キャリア内変調ブロック１６と、を含む。この例では、分割ブロックは、方法２におけるブロック４を実行する。キャリア間変調ブロック１４は、方法２におけるブロック６を実行する。キャリア内変調ブロック１６は、方法２におけるブロック８を実行する。
【手続補正５】
【補正対象書類名】明細書
【補正対象項目名】０１５４
【補正方法】変更
【補正の内容】
【０１５４】
この例を、単位伝送あたり４つのタイムスロットが与えられ、３２ビームの送信機が与えられ、２５６−ＱＡＭを用いるように拡張すれば、１つの伝送に対して、この例における最大データレートは、
｛ｌｏｇ２（３２）＋ｌｏｇ２（４）＋ｌｏｇ２（６４）＋ｌｏｇ２（２５６）｝／（４×２．５６μｓ）＝２．０５Ｍｂｐｓ
である。
【手続補正６】
【補正対象書類名】明細書
【補正対象項目名】０１５６
【補正方法】変更
【補正の内容】
【０１５６】
前述した例では、１以上の変調スキームがチャネル（bin）内におけるコード化に用いられる。例えば、周波数ドメインのようなドメインの１つにおける全てのサブキャリアを伝送に用い、ＯＯＫにような第１の変調方式を周波数サブキャリアの第１の群に用い、２５６−ＱＡＭのような第２の変調方式を残りのサブキャリアに用いたとすれば、得られるデータレートは、（４つのタイムスロット、３２のビーム、ＯＯＫによりコード化された３２の周波数サブキャリア、２５６−ＱＡＭを用いてコード化された３２の周波数サブキャリアに対し）
｛ｌｏｇ２（４）＋ｌｏｇ２（３２）＋３２サブキャリア（×チャネル当たり１ｂｉｔのＯＯＫ）＋３２サブキャリア（×チャネル当たり８ｂｉｔの２５６−ＱＡＭ）｝／（４×２．５６μｓ）＝２８．８１Ｍｂｐｓ
である。